(57)【要約】【課題】リーダ／ライタによるシート状アンテナを介した読み取り性能を、向上することが可能な光記録媒体用ケースを提供する。【解決手段】光記録媒体用ケース１００は、アンテナを有するＩＣタグが表面に付された光記録媒体を収納する。光記録媒体用ケース１００は、前記光記録媒体を収納するためのケース本体と、前記ケース本体に収納された前記光記録媒体の前記表面と略平行になるように、前記ケース本体に設けられたブーストアンテナと、を備える。前記ブーストアンテナは、前記ケース本体の第１の辺に沿って略平行に配置された第１のバーアンテナと、前記ケース本体に収納された前記光記録媒体の中心を通る前記表面の垂線と交差するように配置され、且つ、前記第１のバーアンテナとの間で交流電流または直流電流が流れるように前記第１のバーアンテナと接続された第２のバーアンテナと、を含む。【選択図】図２
2012162291.tif 000002
【特許請求の範囲】
【請求項１】
アンテナを有するＩＣタグが表面に付された光記録媒体を収納するための光記録媒体用ケースであって、
前記光記録媒体を収納するためのケース本体と、
前記ケース本体に収納された前記光記録媒体の前記表面と略平行になるように、前記ケース本体に設けられたブーストアンテナと、を備え、
前記ブーストアンテナは、
前記ケース本体の第１の辺に沿って略平行に配置された第１のバーアンテナと、
前記ケース本体に収納された前記光記録媒体の中心を通る前記表面の垂線と交差するように配置され、且つ、前記第１のバーアンテナとの間で交流電流または直流電流が流れるように前記第１のバーアンテナと接続された第２のバーアンテナと、を含む
ことを特徴とする光記録媒体用ケース。
【請求項２】
前記ブーストアンテナは、
前記光記録媒体の中心を通る前記表面の前記垂線上で前記第２のバーアンテナと交差するように配置され、且つ、前記第２のバーアンテナとの間で交流電流または直流電流が流れるように前記第２のバーアンテナと接続された第３のバーアンテナをさらに含む
ことを特徴とする請求項１に記載の光記録媒体用ケース。
【請求項３】
前記第２のバーアンテナと前記第３のバーアンテナとは、前記光記録媒体の中心を通る前記表面の前記垂線上で、直交する
ことを特徴とする請求項２に記載の光記録媒体用ケース。
【請求項４】
前記第３のバーアンテナは、前記光記録媒体の中心を通る前記表面の前記垂線上から延在している
ことを特徴とする請求項２または３に記載の光記録媒体用ケース。
【請求項５】
前記ＩＣタグのアンテナは、ダイポール型のアンテナであることを特徴とする請求項１ないし４のいずれか一項に記載の光記録媒体用ケース。
【請求項６】
前記ＩＣタグのダイポール型のアンテナの偏波方向は、前記光記録媒体の前記表面と略平行であることを特徴とする請求項５に記載の光記録媒体用ケース。
【請求項７】
前記第１のバーアンテナと前記第２のバーアンテナとは、絶縁体を介して接続されている
ことを特徴とする請求項１ないし６のいずれか一項に記載の光記録媒体用ケース。
【請求項８】
前記第１のバーアンテナと前記第２のバーアンテナとは、導電体により接続されていることを特徴とする請求項１ないし６のいずれか一項に記載の光記録媒体用ケース。
【請求項９】
前記光記録媒体用ケースは、略直方体の形状を有することを特徴とする請求項１ないし８のいずれか一項に記載の光記録媒体用ケース。
【請求項１０】
前記光記録媒体用ケースは、
管理用棚の背面または底面に設けられ前記ＩＣタグと通信するためのシートアンテナの表面と、前記第１のバーアンテナの長手方向とが略平行になるように、前記管理用棚に配置される
ことを特徴とする請求項９に記載の光記録媒体用ケース。
【請求項１１】
前記光記録媒体用ケースは、
前記第１の辺が、前記シート状アンテナが設けられた前記管理用棚の背面または底面に、近接するように、前記管理用棚に配置される
ことを特徴とする請求項１０に記載の光記録媒体用ケース。
【請求項１２】
前記光記録媒体用ケースは、
前記第１のバーアンテナの長手方向の一部分が前記シート状アンテナの表面と対向し、且つ、前記第１のバーアンテナの長手方向の残りの他の部分が前記シート状アンテナの表面と対向しないように、前記管理用棚に配置される
ことを特徴とする請求項１０または１１に記載の光記録媒体用ケース。
【請求項１３】
前記ケース本体は、
前記光記録媒体の中心を通る前記表面の垂線を回転軸として、前記光記録媒体を回転可能に支持する
ことを特徴とする請求項１ないし１２のいずれか一項に記載の光記録媒体用ケース。
【請求項１４】
前記第１のバーアンテナおよび前記第２のバーアンテナは、帯状の導体から成ることを特徴とする請求項１ないし１３のいずれか一項に記載の光記録媒体用ケース。
【請求項１５】
前記ブーストアンテナは、ダイポール形状を有することを特徴とする請求項１ないし１４のいずれか一項に記載の光記録媒体用ケース。
【請求項１６】
前記第１のバーアンテナまたは前記第２のバーアンテナの少なくとも何れか一方の長さは、送受信する電磁波の波長の略正の整数倍または略正の整数分の１である
ことを特徴とする請求項１ないし１５のいずれか一項に記載の光記録媒体用ケース。
【請求項１７】
前記第２のバーアンテナは、前記ケース本体の角に向かって延在していることを特徴とする請求項９ないし１２に記載の光記録媒体用ケース。
【請求項１８】
前記ブーストアンテナは、
前記光記録媒体用ケースに収納される前記光記録媒体の表面と略平行になるように、前記ケース本体上に伸びて配置されている
ことを特徴とする請求項１ないし１７のいずれか一項に記載の光記録媒体用ケース。
【請求項１９】
前記光記録媒体は、円形の形状を有する光ディスクであり、
前記ＩＣタグのダイポール型のアンテナは、その中心が、前記光記録媒体の中心を通る前記光記録媒体の表面の垂線上に位置するように、前記光記録媒体に設けられている
ことを特徴とする請求項１ないし１８のいずれか一項に記載の光記録媒体用ケース。
【請求項２０】
前記ブーストアンテナは、前記ケース本体の内面に設けられていることを特徴とする請求項１ないし１９のいずれか一項に記載の光記録媒体用ケース。
【請求項２１】
前記ブーストアンテナは、前記ケース本体の外面に設けられていることを特徴とする請求項１ないし１９のいずれか一項に記載の光記録媒体用ケース。
【請求項２２】
前記光ディスクは、ＣＤ、ＤＶＤ、または、ＢＤの何れかであることを特徴とする請求項１ないし２１のいずれか一項に記載の光記録媒体用ケース。
【請求項２３】
アンテナを有するＩＣタグが表面に付された光記録媒体を収納するための光記録媒体用ケースに付されるブーストアンテナであって、
前記光記録媒体の前記表面と略平行になるように前記光記録媒体を収納するための前記ケース本体に設けられており、
前記ケース本体の第１の辺に沿って略平行に配置された第１のバーアンテナと、
前記ケース本体に収納された前記光記録媒体の中心を通る前記表面の垂線と交差するように配置され、且つ、前記第１のバーアンテナとの間で交流電流または直流電流が流れるように前記第１のバーアンテナと接続された第２のバーアンテナと、を含む
ことを特徴とするブーストアンテナ。
【請求項２４】
光記録媒体を管理するための管理システムであって、
アンテナを有するＩＣタグが表面に付された光記録媒体を収納するための光記録媒体用ケースと、
前記光記録媒体用ケースが並べられる管理用棚に配置されるシート状アンテナと、
前記ＩＣタグのアンテナおよび前記シート状アンテナを介して、前記ＩＣタグと通信するリーダ／ライタと、
前記ＩＣタグと前記リーダ／ライタとの通信により得られた情報に基づいて、前記光ディスクを管理する管理装置と、を備え、
前記光記録媒体用ケースは、
略直方体の形状を有し、前記光記録媒体を収納するためのケース本体と、
前記ケース本体に収納された前記光記録媒体の前記表面と略平行になるように、前記ケース本体に設けられたブーストアンテナと、を有し、
前記ブーストアンテナは、
前記ケース本体の第１の辺に沿って略平行に配置された第１のバーアンテナと、
前記ケース本体に収納された前記光記録媒体の中心を通る前記表面の垂線と交差するように配置され、且つ、前記第１のバーアンテナとの間で交流電流または直流電流が流れるように前記第１のバーアンテナと接続された第２のバーアンテナと、を含む
ことを特徴とする管理システム。
【請求項２５】
前記シート状アンテナは、  
平板状の誘電体層と、
前記シート状アンテナの表面に位置し、メッシュ状の導体を含む第１の導電体層と、
前記第１の導電体層との間で、前記誘電体層を挟む平板状の第２の導電体層と、を有する
ことを特徴とする請求項２４に記載の管理システム。  
【請求項２６】
前記シート状アンテナが配置される前記管理用棚の背面また底面は、導体で構成されていることを特徴とする請求項２４または２５に記載の管理システム。
【発明の詳細な説明】
【技術分野】
【０００１】
本発明は、例えば、ＣＤ、ＤＶＤ、ＢＤ等の光ディスク（光記録媒体）の光記録媒体用ケース、ブーストアンテナ、および、管理システムに関する。
【背景技術】
【０００２】
従来、管理に必要な情報を記憶しているＩＣタグを光記録媒体に貼り付け、該ＩＣタグとリーダ／ライタとを通信することにより、該光記録媒体を管理するシステムがある。
【０００３】
例えば、光記録媒体を収納する光記録媒体用ケースを配置する管理用棚の背面、または、底面に、リーダ／ライタ用のシート状アンテナ（例えば、特許文献１参照）を配置する場合がある。この場合、光記録媒体に貼り付けられたＵＨＦ帯用のＩＣタグ（例えば、特許文献２参照）は、その偏波方向の指向性の影響により、該リーダ／ライタは十分な読み取り性能を発揮することができない問題がある。
【０００４】
すなわち、上記従来技術では、複数の光記録媒体に付されたＩＣタグを適切に読み取ることができず、光記録媒体に対する所定の管理が実施できない。
【先行技術文献】
【特許文献】
【０００５】
【特許文献１】特開２０１０−１１４６９６号公報
【特許文献２】特開２００６−１４９６８号公報
【発明の開示】
【発明が解決しようとする課題】
【０００６】
本発明は、リーダ／ライタによるシート状アンテナを介した読み取り性能を、向上することが可能な光記録媒体用ケース、ブーストアンテナ、および、管理システムを提供する。
【課題を解決するための手段】
【０００７】
本発明の一態様に係る光記録媒体用ケースは、
アンテナを有するＩＣタグが表面に付された光記録媒体を収納するための光記録媒体用ケースであって、
前記光記録媒体を収納するためのケース本体と、
前記ケース本体に収納された前記光記録媒体の前記表面と略平行になるように、前記ケース本体に設けられたブーストアンテナと、を備え、
前記ブーストアンテナは、
前記ケース本体の第１の辺に沿って略平行に配置された第１のバーアンテナと、
前記ケース本体に収納された前記光記録媒体の中心を通る前記表面の垂線と交差するように配置され、且つ、前記第１のバーアンテナとの間で交流電流または直流電流が流れるように前記第１のバーアンテナと接続された第２のバーアンテナと、を含む
ことを特徴とする光記録媒体用ケースである。
【０００８】
また、上記光記録媒体用ケースにおいて、
前記ブーストアンテナは、
前記光記録媒体の中心を通る前記表面の前記垂線上で前記第２のバーアンテナと交差するように配置され、且つ、前記第２のバーアンテナとの間で交流電流または直流電流が流れるように前記第２のバーアンテナと接続された第３のバーアンテナをさらに含んでいてもよい。
【０００９】
また、上記光記録媒体用ケースにおいて、
前記第２のバーアンテナと前記第３のバーアンテナとは、前記光記録媒体の中心を通る前記表面の前記垂線上で、直交していてもよい。
【００１０】
また、上記光記録媒体用ケースにおいて、
前記第３のバーアンテナは、前記光記録媒体の中心を通る前記表面の前記垂線上から延在していてもよい。
【００１１】
また、上記光記録媒体用ケースにおいて、
前記ＩＣタグのアンテナは、ダイポール型のアンテナであってもよい。
【００１２】
また、上記光記録媒体用ケースにおいて、
前記ＩＣタグのダイポール型のアンテナの偏波方向は、前記光記録媒体の前記表面と略平行であってもよい。
【００１３】
また、上記光記録媒体用ケースにおいて、
前記第１のバーアンテナと前記第２のバーアンテナとは、絶縁体を介して接続されていてもよい。
【００１４】
また、上記光記録媒体用ケースにおいて、
前記第１のバーアンテナと前記第２のバーアンテナとは、導電体により接続されていいもよい。
【００１５】
また、上記光記録媒体用ケースにおいて、
前記光記録媒体用ケースは、略直方体の形状を有していてもよい。
【００１６】
また、上記光記録媒体用ケースにおいて、
前記光記録媒体用ケースは、
管理用棚の背面または底面に設けられ前記ＩＣタグと通信するためのシートアンテナの表面と、前記第１のバーアンテナの長手方向とが略平行になるように、前記管理用棚に配置されていてもよい。
【００１７】
また、上記光記録媒体用ケースにおいて、
前記光記録媒体用ケースは、
前記第１の辺が、前記シート状アンテナが設けられた前記管理用棚の背面または底面に、近接するように、前記管理用棚に配置されていてもよい。
【００１８】
また、上記光記録媒体用ケースにおいて、
前記光記録媒体用ケースは、
前記第１のバーアンテナの長手方向の一部分が前記シート状アンテナの表面と対向し、且つ、前記第１のバーアンテナの長手方向の残りの他の部分が前記シート状アンテナの表面と対向しないように、前記管理用棚に配置されていてもよい。
【００１９】
また、上記光記録媒体用ケースにおいて、
前記ケース本体は、
前記光記録媒体の中心を通る前記表面の垂線を回転軸として、前記光記録媒体を回転可能に支持していてもよい。
【００２０】
また、上記光記録媒体用ケースにおいて、
前記第１のバーアンテナおよび前記第２のバーアンテナは、帯状の導体から成っていてもよい。
【００２１】
また、上記光記録媒体用ケースにおいて、
前記ブーストアンテナは、ダイポール形状を有していてもよい。
【００２２】
また、上記光記録媒体用ケースにおいて、
前記第１のバーアンテナまたは前記第２のバーアンテナの少なくとも何れか一方の長さは、送受信する電磁波の波長の略正の整数倍または略正の整数分の１であってもよい。
【００２３】
また、上記光記録媒体用ケースにおいて、
前記第２のバーアンテナは、前記ケース本体の角に向かって延在していてもよい。
【００２４】
また、上記光記録媒体用ケースにおいて、
前記ブーストアンテナは、
前記光記録媒体用ケースに収納される前記光記録媒体の表面と略平行になるように、前記ケース本体上に伸びて配置されていてもよい。
【００２５】
また、上記光記録媒体用ケースにおいて、
前記光記録媒体は、円形の形状を有する光ディスクであり、
前記ＩＣタグのダイポール型のアンテナは、その中心が、前記光記録媒体の中心を通る前記光記録媒体の表面の垂線上に位置するように、前記光記録媒体に設けられていてもよい。
【００２６】
また、上記光記録媒体用ケースにおいて、
前記ブーストアンテナは、前記ケース本体の内面に設けられていてもよい。
【００２７】
また、上記光記録媒体用ケースにおいて、
前記ブーストアンテナは、前記ケース本体の外面に設けられていてもよい。
【００２８】
また、上記光記録媒体用ケースにおいて、
前記光ディスクは、ＣＤ、ＤＶＤ、または、ＢＤの何れかであってもよい。
【００２９】
本発明の一態様に係るブーストアンテナは、
アンテナを有するＩＣタグが表面に付された光記録媒体を収納するための光記録媒体用ケースに付されるブーストアンテナであって、
前記光記録媒体の前記表面と略平行になるように前記光記録媒体を収納するための前記ケース本体に設けられており、
前記ケース本体の第１の辺に沿って略平行に配置された第１のバーアンテナと、
前記ケース本体に収納された前記光記録媒体の中心を通る前記表面の垂線と交差するように配置され、且つ、前記第１のバーアンテナとの間で交流電流または直流電流が流れるように前記第１のバーアンテナと接続された第２のバーアンテナと、を含む
ことを特徴とするブーストアンテナである。
【００３０】
本発明の一態様に係る管理システムは、
光記録媒体を管理するための管理システムであって、
アンテナを有するＩＣタグが表面に付された光記録媒体を収納するための光記録媒体用ケースと、
前記光記録媒体用ケースが並べられる管理用棚に配置されるシート状アンテナと、
前記ＩＣタグのアンテナおよび前記シート状アンテナを介して、前記ＩＣタグと通信するリーダ／ライタと、
前記ＩＣタグと前記リーダ／ライタとの通信により得られた情報に基づいて、前記光ディスクを管理する管理装置と、を備え、
前記光記録媒体用ケースは、
略直方体の形状を有し、前記光記録媒体を収納するためのケース本体と、
前記ケース本体に収納された前記光記録媒体の前記表面と略平行になるように、前記ケース本体に設けられたブーストアンテナと、を有し、
前記ブーストアンテナは、
前記ケース本体の第１の辺に沿って略平行に配置された第１のバーアンテナと、
前記ケース本体に収納された前記光記録媒体の中心を通る前記表面の垂線と交差するように配置され、且つ、前記第１のバーアンテナとの間で交流電流または直流電流が流れるように前記第１のバーアンテナと接続された第２のバーアンテナと、を含む
ことを特徴とする管理システムである。
【００３１】
また、上記管理システムにおいて、
前記シート状アンテナは、  
平板状の誘電体層と、
前記シート状アンテナの表面に位置し、メッシュ状の導体を含む第１の導電体層と、
前記第１の導電体層との間で、前記誘電体層を挟む平板状の第２の導電体層と、を有していてもよい。
【００３２】
また、上記管理システムにおいて、
前記シート状アンテナが配置される前記管理用棚の背面また底面は、導体で構成されていてもよい。
【発明の効果】
【００３３】
本発明にかかる光記録媒体用ケース、ブーストアンテナ、および、管理システムによれば、リーダ／ライタによるシート状アンテナを介した読み取り性能を、向上することができる。
【図面の簡単な説明】
【００３４】
【図１】図１は、本発明の一態様である実施例１に係るＩＣタグ１００が付された光ディスク（光記録媒体）１の構成の一例を示す図である。
【図２】図２は、図１に示す光ディスク１を収納した状態の実施例１に係る光記録媒体用ケースの構成の一例を示す図である。
【図３】図３は、図２に示す光記録媒体用ケース３を並べた状態の、シート状アンテナ２００が配置された管理用棚４００の構成の一例を示す図である。
【図４】図４は、図３に示すシート状アンテナ２００、リーダ／ライタ３２０、および、管理装置３１０を含む管理システム１０００の一例を示す図である。
【図５】図５は、図２に示す光記録媒体用ケース３を並べた状態の、シート状アンテナが配置された管理用棚４００の構成の他の例を示す図である。
【図６】図６は、図２に示す光記録媒体用ケース３を並べた状態の、シート状アンテナが配置された管理用棚４００の構成の他の例を示す図である。
【図７】図７は、図１に示す光ディスク１を収納した状態の実施例１に係る光記録媒体用ケース３の構成の他の例を示す図である。
【図８】図８は、図１に示す光ディスク１を収納した状態の実施例１に係る光記録媒体用ケース３の構成の他の例を示す図である。
【図９】図９は、図１に示す光ディスク１を収納した状態の実施例１に係る光記録媒体用ケース３の構成の他の例を示す図である。
【図１０】図１０は、図１に示す光ディスク１を収納した状態の実施例１に係る光記録媒体用ケース３の構成の他の例を示す図である。
【図１１】図１１は、図１に示す光ディスク１を収納した状態の実施例１に係る光記録媒体用ケース３の構成の他の例を示す図である。
【図１２】図１２は、図１に示す光ディスク１を収納した状態の実施例１に係る光記録媒体用ケース３の構成の他の例を示す図である。
【図１３】図１３は、図１に示す光ディスク１を収納した状態の実施例１に係る光記録媒体用ケース３の構成の他の例を示す図である。
【発明を実施するための最良の形態】
【００３５】
以下、実施の形態について図面に基づいて説明する。
【実施例１】
【００３６】
この実施例１では、一例として、光記録媒体である光ディスク（ＣＤ）に本発明を適用した場合について説明するが、他の上述の光記録媒体に関しても同様に説明される。
【００３７】
図１は、本発明の一態様である実施例１に係るＩＣタグ１００が付された光ディスク（光記録媒体）１の構成の一例を示す図である。また、図２は、図１に示す光ディスク１を収納した状態の実施例１に係る光記録媒体用ケースの構成の一例を示す図である。
【００３８】
図１に示すように、光ディスク１は、円形の形状を有し、その中央に光ディスク１のプレーヤ（図示せず）の支持部に係合するための穴１ａが形成されている。この光ディスク１は、例えば、ＣＤ、ＤＶＤ、ＢＤ等の光記録媒体である。
【００３９】
また、この光ディスク１の表面には、この光ディスク１を管理するためのＩＣタグ１００が設けられている。
【００４０】
また、図１に示すように、ＩＣタグ１００は、例えば、インレットを構成する、ＩＣチップ１００ａと、ダイポール型のアンテナ１００ｂと、を備える。
【００４１】
ＩＣチップ１００ａは、情報を記憶するためのメモリ部（図示せず）と、該メモリ部への情報の記憶動作、該メモリ部からの情報の読み出し動作、および、無線通信動作を制御する制御部（図示せず）を有する。
【００４２】
ダイポール型のアンテナ１００ｂは、例えば、ループ状の形状を有するループ部１００ｂ−１と、光ディスク１の表面上に延在する延在部１００ｂ−２とを含む。なお、図１の例では、延在部１００ｂは、矩形波状に光ディスク１の表面上に延在している。
【００４３】
したがって、ＩＣタグ１００のダイポール型のアンテナ１００ｂの偏波方向は、光ディスク１の表面と略平行である。
【００４４】
また、ダイポール型のアンテナ１００ｂは、その中心が、光ディスク１の中心Ｍを通る光ディスク１の表面の垂線上に位置するように、光ディスク１に設けられている。
【００４５】
また、該インレットは、例えば、両面テープ（図示せず）により光ディスク１の表面に貼り付けられている。
【００４６】
また、該インレットは、光ディスク１に対向しない面（上面）に、ラベル表紙（図示せず）が、例えば、アクリル系の粘着剤により、貼り付けられている。
【００４７】
ここで、図２に示すように、光記録媒体用ケース３は、ダイポール型のアンテナ１００ｂを有するＩＣタグ１００が表面に付された光ディスク１を収納するようになっている。
【００４８】
そして、この光記録媒体用ケース３は、例えば、光ディスク１の穴１ａに係合する支持部（図示せず）を、穴１ａに係合させることにより、光ディスク１を内部で支持するようになっている。
【００４９】
また、この光記録媒体用ケース３は、ケース本体３１と、ブーストアンテナ２と、を備える。
【００５０】
ケース本体３１は、光ディスク１を内部に収納し、この収納した光ディスク１を該支持部で支持するようになっている。なお、ケース本体３１は、例えば、光ディスク１の中心Ｍを通る光ディスク１の表面の垂線を回転軸として、光ディスク１を回転可能に支持する。このケース本体３１は、例えば、略直方体の形状を有する。
【００５１】
ブーストアンテナ２は、ケース本体３１に収納された光ディスク１の表面と略平行になるように、ケース本体３１に設けられている。すなわち、ブーストアンテナ２は、ケース本体３１の１つの面に設けられている。
【００５２】
なお、ブーストアンテナ２は、ケース本体３１の内面に設けられていても、また、ケース本体３１の外面に設けられていてもよい。
【００５３】
また、ブーストアンテナ２が紙（歌詞カード）等の基材に設けられ、この基材をケース本体３１に添付されることにより、ブーストアンテナ２がケース本体３１に設けられるようにしてもよい。
【００５４】
また、このブーストアンテナ２は、例えば、ダイポール形状を有する。
【００５５】
また、このブーストアンテナ２は、導体で構成される。すなわち、このブーストアンテナ２は、例えば、Ａｌ、Ａｇ等の金属箔で構成される。
【００５６】
また、図２に示す例では、このブーストアンテナ２は、第１のバーアンテナ２ａと、第２のバーアンテナ２ｂと、第３のバーアンテナ２ｃと、を含む。なお、第１ないし第３のバーアンテナ２ａ〜２ｃは、一体的に形成されても、別々に形成されてもよい。
【００５７】
第１のバーアンテナ２ａは、ケース本体３１の第１の辺３１ａに沿って略平行に配置されている。
【００５８】
また、第２のバーアンテナ２ｂは、ケース本体３１に収納された光ディスク１の中心Ｍ（光ディスク１を支持する支持部（図示せず））を通る表面の垂線と交差するように配置され、且つ、第１のバーアンテナ２との間で交流電流または直流電流が流れるように第１のバーアンテナ２ａと接続されている。
【００５９】
例えば、第１のバーアンテナ２ａ（図２の例では、第１のバーアンテナ２ａの一端２ａ１）と第２のバーアンテナ２ｂ（図２の例では、第２のバーアンテナ２ｂの一端２ｂ１）とは、導電体により接続されている。
【００６０】
これにより、第１のバーアンテナ２ａと第２のバーアンテナ２ｂとの間には、交流電流または直流電流が流れる（すなわち、所定の信号が伝達される）。
【００６１】
また、第１のバーアンテナ２ａ（図２の例では、第１のバーアンテナ２ａの一端２ａ１）と第２のバーアンテナ２ｂ（図２の例では、第２のバーアンテナ２ｂの一端２ｂ１）とは、絶縁体（接着剤等）を介して接続されるようにしてもよい。
【００６２】
これにより、第１のバーアンテナ２ａと第２のバーアンテナ２ｂとの間には、少なくとも交流電流が流れる（すなわち、所定の信号が伝達される）。
【００６３】
また、図２に示すように、例えば、第３のバーアンテナ２ｃは、光ディスク１の中心Ｍを通る光ディスク１の表面の垂線上で、第２のバーアンテナ２ｂと交差するように配置されている。
【００６４】
例えば、第２のバーアンテナ２ｂと第３のバーアンテナ２ｃとは、導電体により接続されている。すなわち、第１のバーアンテナ２ａと第２のバーアンテナ２ｂとの間には、交流電流または直流電流が流れる（すなわち、所定の信号が伝達される）ようになっている。
【００６５】
また、例えば、第２のバーアンテナ２ｂと第３のバーアンテナ２ｃとは、絶縁体（接着剤等）を介して接続されるようにしてもよい。これにより、第１のバーアンテナ２ａと第２のバーアンテナ２ｂとの間には、少なくとも交流電流が流れる（すなわち、所定の信号が伝達される）。
【００６６】
なお、より好ましくは、第３のバーアンテナ２ｃは、光ディスク１の中心Ｍを通る光ディスク１の表面の垂線上で、第２のバーアンテナと直交するように配置される。
【００６７】
これにより、光ディスク１が本体ケース３１内で既述の回転軸を中心に回転しても、ＩＣタグ１００ａのダイポール型のアンテナ１００とブーストアンテナ２との間で、後述のような電磁結合、電磁誘導、静電結合がより確実に発生するようにすることができる。
【００６８】
また、第３のバーアンテナ２ｃは、例えば、光ディスク１の中心Ｍを通る光ディスク１の表面の垂線上から第１のバーアンテナ２ａ側に、延在するように配置されている。なお、図２に示す例では、第２のバーアンテナ２ｂと第３のバーアンテナ２ｃとは、Ｔ字状の形状を構成するように接続されている。
【００６９】
なお、図２に示す例では、第１ないし第３のバーアンテナ２ａ〜２ｃは、直線状に延在しているが、第１ないし第３のバーアンテナ２ａ〜２ｃは、湾曲した形状を有していてもよい。
【００７０】
また、ブーストアンテナ２は、光記録媒体用ケース３に収納される光ディスク１の表面と略平行になるように、ケース本体３１上に伸びて配置されている。
【００７１】
また、直交する第２、３のバーアンテナ２ｂ、２ｃの一方（２ｂ）は、ケース本体３１の１つの角に向かって延在し、他方（２ｃ）は、ケース本体３１の他の角に向かって延在している。
【００７２】
また、第１ないし第３のバーアンテナ２ａ〜２ｃは、帯状の導体から成る。すなわち、ブーストアンテナ２は、帯状の導電材料テープから、貼付、転写、エッチング、印刷、または、接着により、光記録媒体用ケース３に、所定の長さおよび形状で形成される。
【００７３】
また、第１、第２のバーアンテナ２ａ、２ｂの少なくとも何れか一方の長さは、例えば、送受信する電磁波の波長の略正の整数倍または略正の整数分の１である。例えば、ＵＨＦ帯（９００ＭＨｚ程度）での使用を想定した場合、ブーストアンテナ２を構成する第１、第２のバーアンテナ２ａ、２ｂの長手方向の長さは１５ｃｍ程度となる。また、このバーアンテナの幅方向の幅は、例えば、５ｍｍ程度である。このバーアンテナの厚さは、例えば、９μｍ〜５０μｍである。
【００７４】
このブーストアンテナ２とＩＣタグ１００のダイポール型のアンテナ１００ｂとの間は、例えば、電磁結合、電磁誘導、静電結合の１つ、又は組み合わせにより非接触で電気信号を伝達することがきるようになっている。
【００７５】
ここで、既述のＩＣタグ１００のＩＣチップ１００ａは、ダイポール型のアンテナ１００ｂ、ブーストアンテナ２、および、シート状アンテナ２００を介して、リーダ／ライタ（質問器（Ｉｎｔｅｒｒｏｇａｔｏｒ））へ情報を読み出し、または、該質問器からシート状アンテナ２００、ダイポール型のアンテナ１００ｂ、および、ブーストアンテナ２を介して入力された情報を記憶する。
【００７６】
また、ＩＣタグ１００は、ダイポール型のアンテナ１００ｂとブーストアンテナ２との相対的な位置関係に応じて、シート状アンテナ２００との交信距離が異なるようになっている。
【００７７】
このＩＣタグ１００は、リーダ／ライタ３２０（シート状アンテナ２００）との交信周波数が、例えば、８００ＭＨｚから１０ＧＨｚの範囲である。
【００７８】
また、ＩＣタグ１００は、ダイポール型のアンテナ１００ｂに接続されるＩＣチップ１００ａのインピーダンスと、ブーストアンテナ２のインピーダンスとを整合することにより、受信電力を向上することができる。
【００７９】
なお、図２に示す例では、光記録媒体用ケース３のケース本体３１に光ディスク１が直接収納されるが、例えば、ケース本体３１は、光ディスク１を収納した中箱（図示せず）を収納することにより、光ディスク１をケース本体３１内に間接的に収納するようにしてもよい。
【００８０】
次に、以上のような構成を有する光記録媒体用ケース３に収納された光ディスク１を管理するための管理システムの例について説明する。
【００８１】
ここで、図３は、図２に示す光記録媒体用ケース３を並べた状態の、シート状アンテナ２００が配置された管理用棚４００の構成の一例を示す図である。また、図４は、図３に示すシート状アンテナ２００、リーダ／ライタ３２０、および、管理装置３１０を含む管理システム１０００の一例を示す図である。
【００８２】
図３に示すように、管理用棚４００は、底面４上に、複数の光記録媒体用ケース３が並んで配置されるようになっている。そして、管理用棚４００の底面４に、シート状アンテナ２００が配置されている。なお、このシート状アンテナ２００が配置される管理用棚４００の底面４および背面５は、例えば、金属等の導体で構成されている。
【００８３】
なお、後述のように、ＩＣタグ１００の偏波方向に指向性があるので、シート状アンテナ２００の表面と光記録媒体用ケース３（光ディスク１）の表面（すなわち、ブーストアンテナ２の延伸方向）とは、直交するように配置されるのが好ましい。
【００８４】
例えば、光記録媒体用ケース３は、管理用棚４００の底面４に設けられＩＣタグ１００と通信するためのシートアンテナ２００の表面２００ａ（後述のメッシュ状の導電体層２３０）と、第１のバーアンテナ２ａの長手方向とが略平行になるように、管理用棚４００に配置される。
【００８５】
これにより、通信効率を向上させることができる。
【００８６】
なお、より好ましくは、シートアンテナ２００の表面２００ａと、第１のバーアンテナ２ａの長手方向とが平行になるように配置されることにより、通信効率を向上させることができる。
【００８７】
しかし、シートアンテナ２００の表面２００ａと、第１のバーアンテナ２ａの長手方向との間に傾きがあっても、通信効率が低下するが、シート状アンテナ２００とブーストアンテナ２との通信は可能である。
【００８８】
さらに、光記録媒体用ケース３は、第１の辺３１ａが、シート状アンテナが設けられた管理用棚４００の底面４に、近接するように、管理用棚４００に配置される。
【００８９】
これにより、通信効率をより向上させることができる。
【００９０】
さらに、光記録媒体用ケース３は、第１のバーアンテナ２ａの長手方向の一部分がシート状アンテナ２００の表面２００ａと対向し、且つ、第１のバーアンテナ２ａの長手方向の残りの他の部分がシート状アンテナ２００の表面２００ａと対向しないように、管理用棚４００に配置される。
【００９１】
これにより、通信効率をより向上させることができる。
【００９２】
また、図４に示すように、光ディスク１を管理するための管理システム１０００は、複数の光記録媒体用ケース３と、シート状アンテナ２００と、管理装置３１０、リーダ／ライタ３２０と、同軸ケーブル３３０と、配線３４０と、を備える。
【００９３】
シート状アンテナ２００は、光記録媒体用ケース３が並べられる管理用棚４００（図３）に配置される。
【００９４】
リーダ／ライタ３２０は、ブーストアンテナ２、ダイポール型のアンテナ１００ｂ、および、シート状アンテナ２００を介して、光ディスク１のＩＣタグ１００と通信するようになっている。
【００９５】
管理装置３１０は、光ディスク１のＩＣタグ１００とリーダ／ライタ３２０との通信により得られた情報に基づいて、光ディスク１を管理するようになっている。
【００９６】
また、図４に示すように、シート状アンテナ２００は、薄い平板状の誘電体層２５０を、シート状アンテナ２００の表面に位置するメッシュ状の導電体層（第１の導電体層）２３０と、平板状の導電体層（第２の導電体層）２４０とで挟む構造を有する。
【００９７】
また、メッシュ状の導電体層２３０のメッシュ周期と、誘電体層２５０の厚さと、は、シート状アンテナ２００を伝搬する波長よりも小さいものとする。
【００９８】
また、メッシュ状の導電体層２３０は、例えば、メッシュ周期が７ｍｍのメッシュ状の導体２３０ａを含む。このメッシュ状の導体２３０ａは一辺が６ｍｍの正方形の開口部分を有する。このような形状では、メッシュ状の導電体層２３０の表面から一定の高さまで（シート状アンテナ２００の表面から一定の高さまで）、電磁場が染み出すようになる。
【００９９】
この電磁場が染み出す領域を浸出領域という。この浸出領域の高さは、メッシュのパターン形状とシート状アンテナ２００の誘電体層２５０の厚さと誘電率によって決まる。
【０１００】
例えば、メッシュの線間隔がＩｍ、メッシュの線幅がＷｍの正方形のメッシュ構造を有するメッシュ状の導電体層２３０においては、メッシュ周期は（Ｗｍ＋Ｉｍ）となる。
【０１０１】
また、シート状アンテナ２００において、メッシュ状の導電体層２３０のメッシュ周期は、伝搬する電磁波の波長より十分短いものとし、例えば、伝搬する電磁波の０．２倍以下である。
【０１０２】
このメッシュ状の導電体層２３０が光記録媒体用ケース３と対向するシート状アンテナ２００の表面に位置する。
【０１０３】
また、誘電体層２５０の厚さは、伝搬する電磁波の波長よりも十分短いものとし、例えば、誘電体層２５０の厚さは、波長の０．０４倍以下である。
【０１０４】
このように、メッシュ状の導電体層２３０のメッシュ周期と誘電体層２５０の厚さとが、シート状アンテナ２００を伝搬する電磁波の波長よりも十分に小さい場合には、所謂、導波管と同様に、シート状アンテナ２００が遮断周波数を有する。そして、シート状アンテナ２００の横幅Ｗが電磁波の半波長の整数倍である場合に共振を起こす（例えば、特開２０１０−１１４６９６号公報参照）。
【０１０５】
そして、横幅Ｗが半波長の整数倍である場合には、シート状アンテナ２００を伝搬する電磁波が共振状態となるため、シート状アンテナ２００のメッシュ状の導電体層２３０から放射される電力が増大する。    
さらに、シート状アンテナ２００の横幅Ｗの長さと、シート状アンテナ２００を伝搬する電磁波の半波長の長さとが等しい場合には、シート状アンテナ２００の長辺Ｌ方向に、所謂、平面波として電磁波が進行しているように見える（例えば、特開２０１０−１１４６９６号公報参照）。
【０１０６】
したがって、シート状アンテナ２００の電磁波吸収部材２１０は、シート状アンテナ２００の何れか一方の短辺に配置されていればよい。シート状アンテナ２００においては、電力を入力する電磁波インタフェース２２０を他方の短辺に配置しているので、給電点がある短辺と対向する短辺に電磁波吸収部材（終端部材）２１０を配置すればよい。
【０１０７】
電磁波吸収部材２１０は、導体板と抵抗とを組み合わせた構成とすることができ、例えば、導体板をメッシュ状の導電体層２３０の上に載置してもよい。
【０１０８】
また、図４に示すように、リーダ／ライタ３２０は、光ディスク１の管理を実行する管理装置３１０に配線３４０を介して接続される。なお、図４に示す例では、リーダ／ライタ３２０がシート状アンテナ２００に１個接続された構成について示しているが、２個以上のリーダ／ライタ３２０がシート状アンテナ２００に接続されていてもよい。
【０１０９】
シート状アンテナ２００は、リーダ／ライタ３２０に、同軸ケーブル３３０と電磁波インタフェース２２０を介して接続される。なお、図４に示す例では、シート状アンテナ２００の片側（１カ所）にのみ電磁波インタフェース２２０が設けられている構成を示しているが、シート状アンテナ２００の両側（２カ所）に電磁波インタフェース２２０が設けられていてもよい。この場合、それぞれの電磁波インタフェース２２０がリーダ／ライタ３２０の異なるポートに接続されることになる。
【０１１０】
なお、リーダ／ライタ３２０は、読み取り機能または書き込み機能の少なくとも何れか一方を有する。
【０１１１】
また、リーダ／ライタ３２０は、ＩＣタグ１００と通信する場合に、電磁波を同軸ケーブル３３０と電磁波インタフェース２２０とを介して、シート状アンテナ２００に通信用の電磁波を入力する。
【０１１２】
そして、ＩＣタグ１００は、シート状アンテナ２００から放射され通信内容に応じた電磁波を、ブーストアンテナ２と、ダイポール型のアンテナ１００ｂとを介して受信する。一方、ＩＣタグ１００ａは、シート状アンテナ２００に対して、ブーストアンテナ２と、ダイポール型のアンテナ１００ｂとを介して、通信内容に応じた電磁波を送信する。
【０１１３】
管理装置３１０は、リーダ／ライタ３２０と光ディスク１のＩＣタグ１００との通信により得られた情報に基づいて、光ディスク１を管理する。
【０１１４】
なお、管理システム１０００において、同軸ケーブル３３０、配線３４０に代えて、管理装置３１０、リーダ／ライタ３２０、シート状アンテナ２００との間を、無線で情報が伝達するようにしてもよい。
【０１１５】
ここで、光ディスク１に付されたＩＣタグ１００のダイポール型のアンテナ１００ｂの偏波方向には、指向性がある。したがって、ダイポール型のアンテナ１００ｂの向きとシート状アンテナ２００の表面の垂線との位置関係により、ＩＣタグ１００ａの電磁波の送受信の感度が異なる。
【０１１６】
しかし、本実施例においては、光ディスク１を収納する光記録媒体用ケース３にブーストアンテナ２に設けられていることにより、ダイポール型のアンテナ１００ｂの偏波方向の指向性の影響を低減し、ＩＣタグ１００ａとシート状アンテナ２００との間の電磁波の送受信の感度を向上させることができる。
【０１１７】
さらに、光記録媒体用ケース３のブーストアンテナ２は、ＩＣタグ１００とシート状アンテナ２００との交信で使用される該電磁波を反射するようになっている。
【０１１８】
これにより、複数の光記録媒体用ケース３が並べて配置される場合、ダイポール型のアンテナ１００ｂの偏波方向の指向性の影響がさらに低減し、ＩＣタグ１００ａとシート状アンテナ２００との間の電磁波の送受信の感度をさらに向上させることができる。
【０１１９】
すなわち、シート状アンテナ２００上でのＩＣタグ１００の読取り率および読取り数が、飛躍的に向上することになる。
【０１２０】
これにより、複数の光記録媒体に付されたＩＣタグ１００をより適切に読み取り、光記録媒体に対する所定の管理を実施することができる。
【０１２１】
ここで、既述の図３では、シート状アンテナ２００が管理用棚４００の底面４上に配置された構成について示したが、シート状アンテナ２００が管理用棚４００の背面５上に配置するようにしてもよい。
【０１２２】
ここで、図５および図６は、図２に示す光記録媒体用ケース３を並べた状態の、シート状アンテナが配置された管理用棚４００の構成の他の例を示す図である。なお、管理システムの構成は、図４に示す構成と同様である。また、シート状アンテナ２００の表面と光記録媒体用ケース３（ブーストアンテナ２）との位置関係も、図４に示す例と同様になる。
【０１２３】
図５に示すように、管理用棚４００の背面５の下部に、シート状アンテナ２００が配置されている。この管理用棚４００の底面４上に、複数の光記録媒体用ケース３が並んで配置されるようになっている。そして、シート状アンテナ２００の表面とブーストアンテナ２の  とが近接するように、管理用棚４００に光記録媒体用ケース３が配置される。
【０１２４】
また、図６に示すように、管理用棚４００の背面５の下部にシート状アンテナ２００を設けてもよい。この管理用棚４００の底面４上に、複数の光記録媒体用ケース３が並んで配置されるようになっている。そして、シート状アンテナ２００の表面とブーストアンテナ２の  とが近接するように、管理用棚４００に光記録媒体用ケース３が配置される。
【０１２５】
図５および図６に示すように、例えば、光記録媒体用ケース３は、管理用棚４００の背面５に設けられＩＣタグ１００と通信するためのシートアンテナ２００の表面２００ａ（後述のメッシュ状の導電体層２３０）と、第１のバーアンテナ２ａの長手方向とが略平行になるように、管理用棚４００に配置される。
【０１２６】
これにより、通信効率を向上させることができる。
【０１２７】
さらに、光記録媒体用ケース３は、第１の辺３１ａが、シート状アンテナが設けられた管理用棚４００の背面５に、近接するように、管理用棚４００に配置される。
【０１２８】
これにより、通信効率をより向上させることができる。
【０１２９】
さらに、光記録媒体用ケース３は、第１のバーアンテナ２ａの長手方向の一部分がシート状アンテナ２００の表面２００ａと対向し、且つ、第１のバーアンテナ２ａの長手方向の残りの他の部分がシート状アンテナ２００の表面２００ａと対向しないように、管理用棚４００に配置される。
【０１３０】
これにより、通信効率をより向上させることができる。
【０１３１】
また、図２に示す光記録媒体用ケース３のブーストアンテナ２の構成は、一例であり、同様の機能を有すればブーストアンテナ２は異なる構成を有していてもよい。
【０１３２】
ここで、図７ないし図１１は、図１に示す光ディスク１を収納した状態の実施例１に係る光記録媒体用ケース３の構成の他の例を示す図である。
【０１３３】
例えば、図７に示すように、図２に示す構成と比較して、ブーストアンテナ２の第３のバーアンテナ２ｃが、ディスク１の中心Ｍを通る光ディスク１の表面の垂線上から第１のバーアンテナ２ａとは反対側に延在するようにしてもよい。
【０１３４】
また、図８に示すように、ブーストアンテナ２の第３のバーアンテナ２ｃが、ディスク１の中心Ｍを通る光ディスク１の表面の垂線上から第２のバーアンテナ２ｂの両側に延在するようにしてもよい。
【０１３５】
また、図９に示すように、図２に示す構成と比較して、ブーストアンテナ２は、第３のバーアンテナ２ｃを省略するようにしてもよい。
【０１３６】
また、図１０に示すように、ブーストアンテナ２は、光ディスク１の中心Ｍを通る光ディスク１の表面の垂線上で、第２のバーアンテナ２ｂおよび第３のバーアンテナ２ｃと交差するように配置された第４のバーアンテナ２ｄを、さらに含むようにしてもよい。
【０１３７】
また、図１１に示すように、ブーストアンテナ２の第３のバーアンテナ２ｃは、第２のバーアンテナ２ｂと同程度の長さを有するようにしてもよい。
【０１３８】
以上のような光記録媒体用ケース３のブーストアンテナ２の構成によっても、ブーストアンテナ２の感度を向上し、ＩＣタグ１００の読み取り性能を向上することができる。
【０１３９】
なお、以上に示す光記録媒体用ケース３の構成は、収納された光ディスク１の平面方向の断面が正方形である場合（ＣＤのケースを想定）について示しているが、収納された光ディスク１の平面方向の断面が長方形である場合（ＤＶＤやＢＤ等のケースを想定）も本発明は同様に適用される。
【０１４０】
ここで、図１２および図１３は、図７ないし図１１は、図１に示す光ディスク１を収納した状態の実施例１に係る光記録媒体用ケース３の構成の他の例を示す図である。
【０１４１】
図１２に示すように、収納された光ディスク１の平面方向の断面が長方形である場合は、管理用棚４００に配置されるシート状アンテナ２００との位置関係を考慮して、第１のブーストアンテナ２ａの位置が設定される。その他のブーストアンテナ２の構成は、図２に示すブーストアンテナ２と同様である。
【０１４２】
また、図１３に示すように、ブーストアンテナ２の第３のバーアンテナ２ｃは、第２のバーアンテナ２ｂと同程度の長さを有するようにしてもよい。
【０１４３】
以上のような構成によっても、ブーストアンテナ２の感度を向上し、ＩＣタグ１００の読み取り性能を向上することができる。
【０１４４】
以上のように、本実施例に係る光記録媒体用ケース、ブーストアンテナ、および、管理システムによれば、リーダ／ライタによるシート状アンテナを介したＩＣタグの読み取り性能を、向上することができる。
【符号の説明】
【０１４５】
１  光ディスク（光記録媒体）
２  ブーストアンテナ
２ａ  第１のバーアンテナ
２ａ１  第１のバーアンテナの一端
２ａ２  第１のバーアンテナの他端
２ｂ  第２のバーアンテナ
２ｂ１  第２のバーアンテナの一端
２ｃ  第３のバーアンテナ
２ｄ  第４のバーアンテナ
３  光記録媒体用ケース
４  底面
５  背面
３１  ケース本体
１００  ＩＣタグ
１００ａ  ＩＣチップ
１００ｂ  アンテナ
１００ｂ−１  ループ部
１００ｂ−２  延在部
２００  シート状アンテナ
２１０  電磁波吸収部材（終端部材）
２２０  電磁波インタフェース
２３０  メッシュ状の導電体層
２３０ａ  メッシュ状の導電体
２４０  平板状の導電体層
２５０  誘電体層
３１０  管理装置
３２０  リーダ／ライタ
３３０  同軸ケーブル
３４０  配線
４００  管理用棚
Ｍ  光ディスクの表面の中心
【図１】
2012162291.tif 000003
【図２】
2012162291.tif 000004
【図３】
2012162291.tif 000005
【図４】
2012162291.tif 000006
【図５】
2012162291.tif 000007
【図６】
2012162291.tif 000008
【図７】
2012162291.tif 000009
【図８】
2012162291.tif 000010
【図９】
2012162291.tif 000011
【図１０】
2012162291.tif 000012
【図１１】
2012162291.tif 000013
【図１２】
2012162291.tif 000014
【図１３】
2012162291.tif 000015